(57)【特許請求の範囲】
【請求項１】
長方形の開口が形成された端面を一端部に備え、他端部は開放されて筒状を呈し、前記他端部同士を合わせて結合することにより中空柱状の筐体を形成する一対のケーシングと、
平板状であり、前記筐体内に角筒状に配置されて前記一対のケーシングの各々の開口を繋ぐ長方形断面の通風路を形成する複数の消音材とを有し、
前記ケーシングは、前記端面の前記開口の縁から前記他端部側へ延在する突起部と、前記開口の長辺側で前記突起部と外周面との間から前記他端部側へ延在する支持面部とを備え、
前記消音材は、前記開口の長辺側では、前記突起部と前記支持面部との間に挟まれて支持され、前記開口の短辺側では、前記突起部と前記外周面との間に挟まれて支持されることを特徴とする消音部材。
【請求項２】
前記ケーシングは、前記筐体の内外を連通する排水穴が前記外周面に形成されていることを特徴とする請求項１に記載の消音部材。
【請求項３】
前記排水穴は、前記ケーシングの外周面に複数形成されていることを特徴とする請求項２に記載の消音部材。
【請求項４】
前記ケーシングは、前記支持面部と前記外周面との間に空気層を備えることを特徴とする請求項１から３のいずれか１項に記載の消音部材。
【請求項５】
前記ケーシングは、前記支持面部から前記他端部側へ延在して、前記消音材が前記空気層側へ脱落することを防止する柱部を備えることを特徴とする請求項４に記載の消音部材。
【請求項６】
前記ケーシングの一方は、前記外周面に被せる筒部を備えた別部品の係合位置を位置決めする係合構造を前記外周面に有することを特徴とする請求項１から５のいずれか１項に記載の消音部材。
【請求項７】
前記ケーシングの一方は、前記筒部が前記外周面に被せられて前記別部品が結合した状態において、前記別部品の前記筒部の筒内の空間と前記外周面の外側の空間とを連通させる排水溝を有することを特徴とする請求項６に記載の消音部材。
【発明の詳細な説明】
【技術分野】
【０００１】
本発明は、室内外を連通する換気口に、屋外騒音の吸収のために設置される消音部材に関する。
【背景技術】
【０００２】
近年の住宅は、換気のために室内外を連通する換気口が設けられるようになった。
【０００３】
また、住宅の高気密化により建物の遮音性が高まり、換気口からの屋外騒音の入り込みが問題となる。
【０００４】
したがって、換気口に消音構造を備えた消音部材を設置し、屋外騒音を消音部材で吸収して消音することが特許文献１に開示されている。
【０００５】
特許文献１に開示される換気構造は、屋外から換気口に侵入する騒音を吸収するために、換気口の内側に消音材を使用して、消音材の内側に風路を形成する消音構造を備えている。消音材には、ウレタンフォームのような発泡樹脂が用いられる。
【先行技術文献】
【特許文献】
【０００６】
【特許文献１】特開２００３−２８３４６号公報
【発明の概要】
【発明が解決しようとする課題】
【０００７】
従来の消音構造は、通風路に消音材を固定するために、消音材を通風路の形状に合わせて成形したり、接着剤で貼り付けたり、別部材で挟み込む方法が用いられていた。しかし、上記のような方法で消音材を通風路に固定した消音構造は、消音材の成形又は切断時に廃材が発生したり、接着剤が必要であったりすることにより、消音部材の部品コスト及び組立コストが増大するという問題があった。
【０００８】
本発明は、上記に鑑みてなされたものであって、安価で生産性が高い消音構造を有する消音部材を得ることを目的とする。
【課題を解決するための手段】
【０００９】
上述した課題を解決し、目的を達成するために、本発明は、長方形の開口が形成された端面を一端部に備え、他端部は開放されて筒状を呈し、他端部同士を合わせて結合することにより中空柱状の筐体を形成する一対のケーシングと、平板状であり、筐体内に角筒状に配置されて一対のケーシングの各々の開口を繋ぐ長方形断面の通風路を形成する複数の消音材とを有する。ケーシングは、端面の開口の縁から他端部側へ延在する突起部と、開口の長辺側で突起部と外周面との間から他端部側へ延在する支持面部とを備え、消音材は、開口の長辺側では、突起部と支持面部との間に挟まれて支持され、開口の短辺側では、突起部と外周面との間に挟まれて支持されることを特徴とする。
【発明の効果】
【００１０】
本発明によれば、安価で生産性が高い消音構造を有する消音部材を得られるという効果を奏する。
【図面の簡単な説明】
【００１１】
【図１】本発明の実施の形態にかかる消音部材の設置状態を示す断面図
【図２】実施の形態にかかる消音部材の斜視図
【図３】実施の形態にかかる消音部材の断面図
【図４】実施の形態にかかる消音部材の断面図
【図５】実施の形態にかかる消音部材の内部の構造を示す斜視図
【図６】実施の形態にかかる消音部材の分解斜視図
【図７】実施の形態にかかる消音部材を適用した換気装置の設置例を示す図
【図８】実施の形態にかかる消音部材を適用した換気装置の斜視図
【図９】実施の形態にかかる消音部材を適用した換気装置の分解斜視図
【発明を実施するための形態】
【００１２】
以下に、本発明の実施の形態にかかる消音部材を図面に基づいて詳細に説明する。なお、この実施の形態によりこの発明が限定されるものではない。
【００１３】
実施の形態．
図１は、本発明の実施の形態にかかる消音部材の設置状態を示す断面図である。図２は、実施の形態にかかる消音部材の斜視図である。図３は、実施の形態にかかる消音部材の断面図である。図４は、実施の形態にかかる消音部材の断面図である。図５は、実施の形態にかかる消音部材の内部の構造を示す斜視図である。図６は、実施の形態にかかる消音部材の分解斜視図である。消音部材１は、円筒形状であり、建物の内外を連通するように壁３に形成された円形穴状の換気口２に設置される。消音部材１の中央部には、矩形断面の通風路８が設けられており、室内側と室外側とを連通する。消音部材１は、通風路８を通過する音波を消音する消音材６ａ，６ｂ，６ｃ，６ｄによる消音構造を備える。なお、図３は、図２中のＩＩＩ−ＩＩＩ線に沿った断面を示している。図５では、消音部材１の一部分を不図示にすることにより、消音部材１の内部の消音構造を紙面に表している。
【００１４】
消音部材１は、中空円柱状の筐体４を構成するケーシング４ａ，４ｂを備える。ケーシング４ａの一端側は、開口８ａが形成された端面４１ａが設けられており、ケーシング４ａの他端側は、開放されている。ケーシング４ｂの一端側は、開口８ｂが形成された端面４１ｂが設けられており、ケーシング４ｂの他端側は、開放されている。ケーシング４ａとケーシング４ｂとは、ケーシング４ａの外周面４２ａの３箇所に設けられた穴５ａに、ケーシング４ｂの外周面４２ｂの３箇所に設けられたツメ５ｂが嵌合することで、開放側同士を合わせて結合され、中空円柱状の筐体４を形成する。穴５ａは、ケーシング４ａの外周面４２ａに等間隔で設けられていない。ツメ５ｂは、ケーシング４ｂの外周面４２ｂに、穴５ａ同士の間隔と同じ間隔を空けて設けられている。したがって、ケーシング４ａとケーシング４ｂとは、開口８ａの向きと開口８ｂの向きとが一致する状態でのみ、係合可能である。なお、ここでは筐体４が中空円柱状である場合を例とするが、換気口２の断面形状に合わせて筐体４の形状を変更してもよい。具体例を挙げると、換気口２の断面が矩形であるならば、筐体４は中空角柱状とし、換気口２の断面が楕円形であるならば、筐体４は中空楕円柱状とすればよい。
【００１５】
ケーシング４ａの端面４１ａの内側には、開口８ａの縁から他端側へ突起部７ａが延在している。開口８ａの長辺側は、突起部７ａと外周面４２ａとの間から他端側へ支持面部４３ａが延在している。ケーシング４ｂの端面４１ｂの内側には、開口８ｂの縁から他端側へ突起部７ｂが延在している。開口８ｂの長辺側は、突起部７ｂと外周面４２ｂとの間から他端側へ支持面部４３ｂが延在している。支持面部４３ａの端面４１ａからの突出量は、突起部７ａの端面４１ａからの突出量よりも大きくなっている。同様に、支持面部４３ｂの端面４１ｂからの突出量は、突起部７ｂの端面４１ｂからの突出量よりも大きくなっている。なお、支持面部４３ａ，４３ｂは、ケーシング４ａ，４ｂの他端側までは達していない。
【００１６】
消音材６ａ，６ｂ，６ｃ，６ｄは、平板状であり、筐体４内に角筒状に配置されてケーシング４ａ，４ｂの開口８ａ，８ｂを繋ぐ長方形断面の通風路８を形成する。消音材６ａ，６ｂ，６ｃ，６ｄのうち、消音材６ａ，６ｂは、開口８ａ，８ｂの長辺側に設置され、消音材６ｃ，６ｄは、開口８ａ，８ｂの短辺側に設置される。消音材６ａ，６ｂ，６ｃ，６ｄは、開口８ａ，８ｂと概ね同じ断面形状を持つ四角筒状の通風路８を筐体４の内部に構成する。消音材６ａ，６ｂは、一端部が突起部７ａと支持面部４３ａとの間に挿入され、他端部が突起部７ｂと支持面部４３ｂとの間に挿入されて固定される。消音材６ｃ，６ｄは、一端部が突起部７ａとケーシング４ａの外周面４２ａとの間に挿入され、他端部が突起部７ｂとケーシング４ｂの外周面４２ｂとの間に挿入されて固定される。
【００１７】
支持面部４３ａ，４３ｂからは、ケーシング４ａ，４ｂの開放側に向かって複数の柱部１１ａ，１１ｂが突出しており、柱部１１ａ同士の間及び柱部１１ｂ同士の間は、音波が通過可能な通音部１２になっている。図３及び図４に示すように、ケーシング４ａ，４ｂと消音材６ａ，６ｂとの間には、空気層１０が形成されている。消音部材１は、柱部１１ａ，１１ｂが設けられているため、据付時又は清掃時に消音材６ａ，６ｂに外力が加わっても、空気層１０側に消音材６ａ，６ｂが脱落することを防止できる。
【００１８】
消音部材１には、通音部１２が形成されているため、消音材６ａ，６ｂを通過した音波は、通音部１２を通って空気層１０に進入する。空気層１０に進入した音波がケーシング４ａ，４ｂと消音材６ａ，６ｂとの間で反射することにより、消音部材１は消音効果が高められている。
【００１９】
図３、図４、図５及び図６に示すように、ケーシング４ｂの外周面４２ｂには、外周面４２ｂを貫通して排水穴９ａ，９ｂが形成されている。排水穴９ａ，９ｂは、ケーシング４ｂの外周面４２ｂを２等分する位置に形成されており、排水穴９ａと排水穴９ｂとは向かい合っている。したがって、排水穴９ａ，９ｂのどちらが下になるような向きで消音部材１を換気口２に設置しても、筐体４内に浸入した雨水を外部へ排出可能である。筐体４内に浸入した雨水を外部へ排出することにより、消音材６ａ，６ｂ，６ｃ，６ｄが濡れて劣化したり、筐体４内で雨水が腐敗して異臭が発生することを防止できる。なお、排水穴の数を３以上とすることで、消音部材１を換気口２に設置する際に、筐体４内に浸入した雨水を排水可能となる向きの制約が小さくなる。なお、ケーシング４ａの端面４１ａに、取り付け方向を表示しておくことで、消音部材１を換気口２に設置する際に、筐体４内に浸入した雨水を排水可能な向きで確実に取り付けることが可能になる。
【００２０】
また、図２及び図６に示すように、ケーシング４ａには、外周面４２ａを２等分する位置に二つの係止ツメ１３が設けられており、外周面４２ａを４等分する位置に四つのストッパー１４が設けられている。消音部材１は、係止ツメ１３及びストッパー１４を用いて別部品を結合できる。係止ツメ１３及びストッパー１４を用いた別部品との結合については後述する。
【００２１】
また、ケーシング４ａの外周面４２ａには、端面４１ａから開放側に向かって排水溝１８ａ，１８ｂが形成されている。排水溝１８ａ，１８ｂは、ストッパー１４よりもケーシング４ａの開放側である他端部に近い位置まで達している。
【００２２】
図７は、実施の形態にかかる消音部材を適用した換気装置の設置例を示す図である。図８は、実施の形態にかかる消音部材を適用した換気装置の斜視図である。図９は、実施の形態にかかる消音部材を適用した換気装置の分解斜視図である。換気装置５０は、消音部材１に給排気口１５を結合して構成される。給排気口１５は、室内側が四角形形状のグリル１９と、円形形状の円筒部１６とで構成されている。給排気口１５は、建物の室内外を連通する円形穴状の換気口２に、室内側から円筒部１６が挿入される。
【００２３】
消音部材１は、円筒部１６にケーシング４ａ側から挿入されて給排気口１５に結合される。消音部材１は、ストッパー１４が円筒部１６の端部に突き当たることにより、円筒部１６へ挿入される長さが一定値に規制される。ストッパー１４が円筒部１６の端部に突き当たった位置で、係合ツメ１３が給排気口１５の係合穴１７に係合することで、消音部材１は給排気口１５に結合される。
【００２４】
ケーシング４ａに設けられている排水溝１８ａ，１８ｂは、ストッパー１４よりもケーシング４ａの開放側である他端部に近い位置まで達しているため、消音部材１がケーシング４ａ側から円筒部１６に挿入されても、一部分は円筒部１６によって覆われない。したがって、排水溝１８ａ，１８ｂは、消音部材１と給排気口１５とが結合した状態において、円筒部１６の筒内の空間とケーシング４ａの外周面４２ａの外側の空間とを連通させる。これにより、消音部材１が給排気口１５に結合された状態では、給排気口１５に浸入した雨水は、排水溝１８ａ，１８ｂを通じて室外へ排出される。よって、給排気口１５の中で雨水が腐敗して異臭が発生することを防止できる。
【００２５】
排水溝１８ａ，１８ｂは、ケーシング４ａの外周面４２ａを２等分する位置に形成されている。したがって、排水溝１８ａ，１８ｂのどちらが下になるような向きで消音部材１を換気口２に設置しても、給排気口１５内に浸入した雨水を外部へ排出可能である。なお、排水溝の数を３以上とすることで、消音部材１を換気口２に設置する際に、給排気口１５内に浸入した雨水を排水可能となる向きの制約が小さくなる。
【００２６】
消音材６ａ，６ｂは、突起部７ａ，７ｂと支持面部４３ａ，４３ｂとの間に挟まれて固定され、消音材６ｃ，６ｄは、突起部７ａ，７ｂとケーシング４ａ，４ｂの外周面４２ａ，４２ｂとの間に挟まれて固定されるため、消音部材１は、接着剤の塗布作業及び消音材６ａ，６ｂ，６ｃ，６ｄの貼り付け作業が不要であり、組立作業が簡便で組立性が良い。また、消音材６ａ，６ｂ，６ｃ，６ｄは、作成が容易な平板形状のものを適用できるため、歩留まりを高めて部品コストの低減を図れる。また、消音材６ａ，６ｂ，６ｃ，６ｄは、筐体４内に開口８ａ又は開口８ｂから手を挿入し、指で引っかけて引っ張ることで、ケーシング４ａ、４ｂから取り外せる。したがって、消音部材１を換気口２から外さなくても消音材６ａ，６ｂ，６ｃ，６ｄの交換及び清掃を行える。
【００２７】
実施の形態にかかる消音部材１は、消音材６ａ，６ｂ，６ｃ，６ｄをケーシング４ａ，４ｂに貼り付ける作業が不要であり、組立作業が簡便となる。また、実施の形態にかかる消音部材１は、消音材６ａ，６ｂ，６ｃ，６ｄの形状が簡素であり、部品コストを低減できる。
【００２８】
また、実施の形態にかかる消音部材１は、ケーシング４ａ，４ｂの開口８ａ，８ｂを四角形状にしたことから、消音材６ａ，６ｂ，６ｃ，６ｄを屈曲させずに固定させることができ、消音材６ａ，６ｂ，６ｃ，６ｄの復元力による脱落を防ぐことができるとともに、消音材６ａ，６ｂ，６ｃ，６ｄのケーシング４ａ，４ｂへの取り付けが容易である。
【００２９】
また、実施の形態にかかる消音部材１は、開口８ａ，８ｂの四角形状のうち少なくとも１辺の寸法を人間の手の平が入る寸法としたことから、ケーシング４ａ，４ｂの開口８ａ，８ｂから筐体４内に手を入れることができ、ケーシング４ａ，４ｂを嵌合した後からでも消音材６ａ，６ｂ，６ｃ，６ｄを出し入れし、交換及び清掃ができる。
【００３０】
また、実施の形態にかかる消音部材１は、ケーシング４ｂに排水穴９ａ，９ｂを設けたことから、雨水が通風路８に浸入した際に、筐体４内に溜まった水を排水することができ、消音材６ａ，６ｂ，６ｃ，６ｄの劣化を防止し、通風路８を衛生に保つことができる。
【００３１】
また、実施の形態にかかる消音部材１は、排水穴９ａ，９ｂを放射状の配置で複数設けたことから、消音部材１の設置時に向きを気にする必要がなくなる。
【００３２】
また、実施の形態にかかる消音部材１は、通風路８の外において、ケーシング４ａ，４ｂと消音材６ａ，６ｂとの間に空気層１０を設けたことから、空気層１０内での音の反射により消音効果を向上させることができる。
【００３３】
また、実施の形態にかかる消音部材１は、ケーシング４ａ，４ｂに柱部１１ａ，１１ｂを設けたことで、据付時又は清掃時に消音材６ａ，６ｂに外力が加わっても消音材６ａ，６ｂがケーシング４ａ，４ｂの内部に脱落することがない。
【００３４】
また、実施の形態にかかる消音部材１は、柱部１１ａ同士の間及び柱部１１ｂ同士の間に通音部１２を設けることで、消音材６ａ，６ｂから空気層１０への音の通過を容易にし、空気層１０による消音効果を高めることができる。
【００３５】
また、実施の形態にかかる消音部材１は、ケーシング４ａに別部品と連結する突起構造を設けたことで、別の製品の消音機能部品とすることができる。
【００３６】
また、実施の形態にかかる消音部材１は、ケーシング４ａに別部品と連結した際に連結部を貫通する排水溝１８ａ，１８ｂを設けたことで、別部品の内部に浸入した水を排水溝１８ａ，１８ｂから、排水することができる。
【００３７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３８】
１  消音部材、２  換気口、３  壁、４  筐体、４ａ，４ｂ  ケーシング、５ａ  穴、５ｂ  ツメ、６ａ，６ｂ，６ｃ，６ｄ  消音材、７ａ，７ｂ  突起部、８  通風路、８ａ，８ｂ  開口、９ａ，９ｂ  排水穴、１０  空気層、１１ａ，１１ｂ  柱部、１２  通音部、１３  係合ツメ、１４  ストッパー、１５  給排気口、１６  円筒部、１７  係合穴、１８ａ，１８ｂ  排水溝、１９  グリル、４１ａ，４１ｂ  端面、４２ａ，４２ｂ  外周面、４３ａ，４３ｂ  支持面部、５０  換気装置。
【図１】
0006391529.tif 000002
【図２】
0006391529.tif 000003
【図３】
0006391529.tif 000004
【図４】
0006391529.tif 000005
【図５】
0006391529.tif 000006
【図６】
0006391529.tif 000007
【図７】
0006391529.tif 000008
【図８】
0006391529.tif 000009
【図９】
0006391529.tif 000010